(57)【要約】【課題】簡単且つ確実にテレビジョン番組放映中の商品の購入を可能とする商品情報入手システムを提供する。【解決手段】放送局１０から送信される映像から商品の識別コード、例えば、ＱＲコード５６ａ〜５６ｃを識別コード読み取り手段、好ましくは携帯電話２６で取り込む。携帯電話２６からこのＱＲコード５６ａ〜５６ｃが通信会社２８に発信され、通信会社２８は、通信販売業者３２にそのＱＲコード５６ａ〜５６ｃに係る情報とともに、商品購入を企図している購入者の情報を送給する。受信装置３４は、この購入者の情報とＱＲコード５６ａ〜５６ｃから商品を特定し、且つ購入者宛発送する。【選択図】図１
2007306399.tif 000002
【特許請求の範囲】
【請求項１】
放送システムを有する放送局と、テレビジョン受信機と、撮像機能を備え且つ画面を配設した端末と、を備え、前記放送システムは番組用サーバと、商品情報サーバと、識別コードサーバとを含み、前記放送局は前記番組用サーバからの連続する映像と、前記商品情報サーバからの商品映像と、前記識別コードサーバからの識別コードとを発信し、テレビジョン受信機は前記連続する映像と、商品映像と識別コードとをその画面上に表示し、前記端末は前記商品映像と識別コードとを取り込んでその画面上に表示することを特徴とする商品情報入手システム。
【請求項２】
請求項１記載の商品情報入手システムにおいて、
前記端末は撮像機能を備えた携帯端末であることを特徴とする商品情報入手システム。
【請求項３】
請求項２記載の商品情報入手システムにおいて、
前記放送局から発信される放送番組はドラマ化された映像であり、前記ドラマ化された映像中で表示される複数の商品が前記テレビジョン受信機の画像中で複数の独立した枠組みの中に商品情報として表示されることを特徴とする商品情報入手システム。
【請求項４】
請求項２記載の商品情報入手システムにおいて、
前記放送局から発信される放送番組は動物をテーマとした映像であり、前記動物をテーマとした映像中で表示される複数の動物に関連する商品が前記テレビジョン受信機の画像中で複数の独立した枠組みの中に商品情報として表示されることを特徴とする商品情報入手システム。
【請求項５】
請求項２記載の商品情報入手システムにおいて、
前記放送局から発信される放送番組はアニメーション映像であり、前記アニメーション映像中で表示される複数のアニメーション関連商品が前記テレビジョン受信機の画像中で複数の独立した枠組みの中に商品情報として表示されることを特徴とする商品情報入手システム。
【発明の詳細な説明】
【技術分野】
【０００１】
本発明は、商品情報入手システムに関し、一層詳細には、テレビジョン受信機の画面に表示された商品と、その商品を特定する商品識別コードとを一体的に商品情報として携帯電話等の端末によって取り込み、このようにして取り込まれた商品情報を通信販売業者に電話回線等を利用して送信することにより、所望の商品を可及的速やかに入手することを可能とする商品情報入手システムに関する。
【背景技術】
【０００２】
通信販売を利用した商品の購入が広範に普及している。一般的にこの種の通信販売では、カタログを入手し、自ら選択した商品の商品識別コードを得た上で、商品の個数とともに通信販売元へ書簡あるいはファクシミリ等により購入申し込みを行い、代金と引き換えに又はクレジットカードにより、さらには銀行振込等によって代金を支払っている。
【０００３】
このように、カタログを利用することを前提とすることから、最新のカタログの入手、商品とそれに関連する商品識別コードの確認、さらには注文行為をしなければならず、相当な時間と費用が必要とされる。そこで、この種の従来の商品購入の不都合を克服するべく、特許文献１には、商品に関するデータの送受信を行うことによって視聴者が見ている番組中で放映された商品の入手を可能とする技術的思想が開示されている。
【０００４】
【特許文献１】特開２００１−２５８０１１号公報
【発明の開示】
【発明が解決しようとする課題】
【０００５】
しかしがら、特許文献１に記載の発明に係る方法や装置を使用する場合には、放送局と家庭との間に双方向のＣＡＴＶ網が設けられる必要があり、しかも特殊な構成のコマンダを用いて購入希望の商品に対しカーソルを合わせる等の操作が必要である。従って、利便性に欠ける。すなわち、特許文献１に記載の発明によれば、リモコンからなるコマンダには、液晶等の画面が設けられ、テレビジョンモニタに表示されている画像と同一の表示、例えば、ドラマのシーンが画面上に表示され、コマンダの方向キーによってテレビジョンモニタの画面上のカーソルの位置を移動し、所望の商品、例えばハンドバッグに対してカーソルの位置を合わせ、それによって、所望の商品の特定がなされる、というものである。
【０００６】
しかしながら、この特許文献１の従来技術によれば、前記の通り、双方向のＣＡＴＶ網や特殊な構造のコマンダを用意する必要があり、設備投資が過大になるとともに、構造も複雑化ならざるを得ない。しかも、通信販売を行うための関連情報も用意しなければならない。
【０００７】
本発明は、設備投資も可及的に少なく、簡単な構造でテレビ画面上に表示された商品を入手することを可能とする商品情報入手システムを提供することを目的とする。
【課題を解決するための手段】
【０００８】
前記の目的を達成するために、本発明は、放送システムを有する放送局と、テレビジョン受信機と、撮像機能を備え且つ画面を配設した端末と、を備え、前記放送システムは番組用サーバと、商品情報サーバと、識別コードサーバとを含み、前記放送局は前記番組用サーバからの連続する映像と、前記商品情報サーバからの商品映像と、前記識別コードサーバからの識別コードとを発信し、テレビジョン受信機は前記連続する映像と、商品映像と識別コードとをその画面上に表示し、前記端末は前記商品映像と識別コードとを取り込んでその画面上に表示することを特徴とする。
【０００９】
また、前記端末は撮像機能を備えた携帯端末であることを特徴とする。
【００１０】
さらにまた、前記放送局から発信される放送番組はドラマ化された映像であり、前記ドラマ化された映像中で表示される複数の商品が前記テレビジョン受信機の画像中で複数の独立した枠組みの中に商品情報として表示されることを特徴とする。
【００１１】
またさらに、前記放送局から発信される放送番組は動物をテーマとした映像であり、前記動物をテーマとした映像中で表示される複数の動物に関連する商品が前記テレビジョン受信機の画像中で複数の独立した枠組みの中に商品情報として表示されることを特徴とする。
【００１２】
また、前記放送局から発信される放送番組はアニメーション映像であり、前記アニメーション映像中で表示される複数のアニメーション関連商品が前記テレビジョン受信機の画像中で複数の独立した枠組みの中に商品情報として表示されることを特徴とする。
【発明の効果】
【００１３】
本発明によれば、テレビジョン受信機の画面に表示された商品と、その商品を特定する識別コード、例えば、ＱＲコードやバーコード等によって端末を介して簡単に取り込み、通信会社やインターネットを介して通信販売業者に送信することが可能である。通信販売業者は、送信されたオーダーを、商品とその商品の識別コード及び送信者を特定して商品の配送をすればよい。従って、簡単な操作によって所望の商品を随時購入することが可能となり、利便性に優れた商品情報入手システムとして確立することができる。
【発明を実施するための最良の形態】
【００１４】
図１において、参照符号１０は、放送局を示す。放送局１０の屋上に立設されたアンテナ１２から、好ましくは、ドラマが放送される。ドラマはメロドラマや、動物をテーマとした番組や、アニメーション番組であると商品との関係を密に且つ簡易に表示でき、好ましい。放送局１０の内部には、放送システム１４が設けられており、この放送システム１４には、前記放送される番組が記憶された番組用サーバ１６と、この番組用サーバ１６内に蓄積された放送用ドラマに係る商品情報を蓄えておく商品情報サーバ１８と、前記商品情報サーバ１８に蓄積された商品毎の識別コードを記憶する識別コードサーバ２０と、番組送信装置２２とが設けられている。
【００１５】
アンテナ１２からは、番組送信装置２２を介して番組用サーバ１６から取り出されたドラマに係る映像と、商品情報サーバ１８から取り出された商品画像データと、識別コードサーバ２０から取り出された前記商品情報に係る識別コードが発信される。前記アンテナ１２から発せられる電波が到達する地域に所在する一般家庭２４には、放送番組受信装置としてのテレビジョン受信機２５と、識別コード読み取り手段としての携帯電話２６が備わっている。この携帯電話２６は、撮像機能付のものが必須であり、また一般家庭２４内に配置されるばかりでなく、例えば、車両あるいは徒歩で移動する人が携えてもかまわない。すなわち、携帯電話２６の画面には、アンテナ１２から送信されるドラマに係る画像、商品画像及び識別コードを表示することが可能である。なお、前記の通り、ドラマはメロドラマ、動物をテーマとした番組や、アニメーション番組であってよい。
【００１６】
一方、前記放送局１０や一般家庭２４から相当距離離間してインターネット関連の通信会社２８が存在する。通信会社２８は、携帯電話２６から送信される電波を受信するためのアンテナ３０を備える。前記アンテナ３０は、送受信機能を有する。従って、携帯電話２６から受信した電波は、アンテナ３０を介して通信販売業者３２に送信される。通信販売業者３２は、その内部に前記アンテナ３０から送信される電波を受信するための受信装置３４を備える。
【００１７】
次に、図２には、一般家庭２４の内部に設置されるテレビジョン受信機２５の詳細を示す。
【００１８】
テレビジョン受信機２５は、放送局１０から送信される電波を受信し、その画面上にドラマを映す映像番組表示領域５０と、複数の異なる商品を表示する商品情報表示領域５２を有する。前記商品情報表示領域５２には、例えば、商品である車両の画像５４ａと、この車両の画像５４ａに対応するＱＲコード５６ａ、商品である腕時計の画像５４ｂと、この腕時計の画像５４ｂに対応するＱＲコード５６ｂ、商品であるカメラの画像５４ｃと、このカメラの画像５４ｃに対応するＱＲコード５６ｃが表示される。この場合、映像番組表示領域５０の一側方に商品情報表示領域５２を設けているが、前記商品情報表示領域５２は映像番組表示領域５０の下部であってもよい。また、商品情報表示領域５２に表示されるＱＲコード５６ａ〜５６ｃに代えてバーコードを用いてもよいことは勿論である。
【００１９】
本発明に係る商品情報入手システムは、それを実施する装置との関係で以上のように構成されるものであり、次に、その作用について説明する。
【００２０】
前記の通り放送局１０からは、アンテナ１２を介してドラマと商品と当該商品の識別コードに係る映像が送られる。このドラマでは、特に、特定の商品を通信販売することを目的としてストーリーが組まれていることが好ましい。例えば、通信販売の対象商品をドラマの中で複数回クローズアップさせつつドラマの展開を図ることも可能である。ドラマの中で、特に俳優が所持する商品や、アニメーションの中の特別なキャラクターが把持する商品、例えば、カメラや腕時計がそのドラマの展開によって、特に、クローズアップされ強調された形態で表示されると、ドラマと通信販売の商品との補完性が充足され、商品の販売促進が達成される。この種のドラマの展開に際し、一度に多数の通信販売の商品を紹介するために、例えば、ドラマの初め、中間及び最後の場面を利用することができる。視聴者は、このような構成によって購入しようとする商品の見逃しを回避することができる。商品紹介の場面においても、その場面をドラマのムービー映像とともに繰り返し放映すれば視聴者側の理解も一層深まる。
【００２１】
このように強調された映像は商品情報表示領域５２に表示される。
【００２２】
視聴者は、撮像機能付の携帯電話２６によってこの商品情報表示領域５２内の商品画像５４ａ〜５４ｃ、及びＱＲコード５６ａ〜５６ｃを瞬時に写し取ることができる。そして通信会社２８に商品の画像とともにＱＲコード５６ａ〜５６ｃを発信すれば、通信会社２８はそれを受信した後、ＱＲコード５６ａ〜５６ｃによって特定される商品の取り扱い会社、すなわち、通信販売業者３２に対してアンテナ３０からそのオーダー情報を発信する。
【００２３】
通信販売業者３２は、受信装置３４によってそのオーダー情報を受け取り、識別コード、すなわちＱＲコード５６ａ〜５６ｃによって特定された商品を発注者である一般家庭２４に送ることができる。この場合、予め製作されたインターネット上のホームページに自動的にアクセスして直接オーダーを通信販売業者３２に対して行ってもよい。
【００２４】
以上のように、本発明に係る実施形態によれば、携帯電話２６の撮像機能を利用してドラマ中において特定された商品を通信販売業者３２から容易に購入することができる。そして、本実施の形態から明らかな通り、従来技術で必要とされた双方向ＣＡＴＶ網や、特殊な構造のコマンダを用いることがないために、通信販売によって廉価に、しかも確実に所望の商品を購入することができる。本商品情報入手システムによれば、特殊な装置を必要としないため、極めて簡単な構成であり、利便性に優れるという効果が得られる。
【図面の簡単な説明】
【００２５】
【図１】本実施の形態に係る商品情報入手方法のシステムの構成を示す概略ブロック説明図である。
【図２】本実施の形態に係る商品情報入手システムで用いられるテレビジョン受信機の斜視説明図である。
【符号の説明】
【００２６】
１０…放送局                  １２、３０…アンテナ
１４…放送システム            １６…番組用サーバ
１８…商品情報サーバ          ２０…識別コードサーバ
２２…番組送信装置            ２４…一般家庭
２６…携帯電話                ２８…通信会社
３２…通信販売業者            ３４…受信装置
【図１】
2007306399.tif 000003
【図２】
2007306399.tif 000004